(57)【要約】【課題】回動部を見え難くすることで、デザイン性を向上し、使用者によって、回動中心を変更された場合にも、回動部が停止時に送風部を正面で止めることができることができる。【解決手段】台座部１内には、支柱部２を回動自在に支持する支持部４と、支柱部２を所定の回動角度を回動する回動部５と、回動部５の回動中心を手動で変更できる回動中心変更部と、支柱部２の回動角度を検知する検知部２４と、検知部２４の検知結果から回動部５を制御する制御部２５とを備えている。検知部２４は、支柱部２と共に回動する第１の磁気部分２６と第２の磁気部分２７と、第１の磁気部分２６と第２の磁気部分２７の磁力を検知する第１の検知部分２８と第２の検知部分２９とを有し、送風部３が正面を向いたときに第１の検知部分２８は第１の磁気部分２６と対向し、第２の検知部分２９は第２の磁気部分２７と対向する。【選択図】図７
2018172977.tif 000002
【特許請求の範囲】
【請求項１】
台座部と、
前記台座部から上方へ延びた支柱部と、
前記支柱部に固定された送風部と、
前記台座部内には、前記支柱部を回動自在に支持する支持部と、
前記支柱部を所定の回動角度を回動する回動部と、
前記回動部の回動中心を手動で変更できる回動中心変更部と、
前記支柱部の回動角度を検知する検知部と、
前記検知部の検知結果から回動部を制御する制御部とを備え、
前記検知部は、
前記支柱部と共に回動する第１の磁気部分と第２の磁気部分と、
前記第１の磁気部分と前記第２の磁気部分の磁力を検知する第１の検知部分と第２の検知部分とを有し、
前記送風部が正面を向いたときに前記第１の検知部分は前記第１の磁気部分と対向し、前記第２の検知部分は前記第２の磁気部分と対向し、
前記第１の検知部分は、前記第１の磁気部分または前記第２の磁気部分と対向すると磁力を検知し、
前記第２の検知部分は、前記第１の磁気部分または前記第２の磁気部分と対向すると磁力を検知し、
前記制御部は、
手動で前記回動部の回動中心を変更された場合に、
前記回動部によって前記支柱部が一方側へ回動し前記第１の検知部分が前記第２の磁気部分の磁力を検知すると、前記支柱部を他方側に回動させ、
前記回動部によって前記支柱部が他方側へ回動し前記第２の検知部分が前記第１の磁気部分の磁力を検知すると、前記支柱部を一方側に回動させ、
前記第１の検知部分が前記第１の磁気部分の磁力を検知し、前記第２の検知部分が前記第２の磁気部分の磁力を検知したときに前記回動部を停止させることを特徴とする扇風機。
【請求項２】
前記回動部は、
前記支柱部に固定された第１のギアと、
前記第１のギアと噛み合う第２のギアと、
前記第２のギアを回動させるモータとを備え、
前記第１のギアに前記第１の磁気部分と前記第２の磁気部分とを固定することを特徴とする請求項１に記載の扇風機。
【請求項３】
前記第１のギアには、
前記第１の磁気部分を支持する第１の磁気支持部分と、
前記第２の磁気部分を支持する第２の磁気支持部分とを備え、
前記第１の磁気支持部分と前記第２の磁気支持部分は前記第１のギアの外周より外方へ突出していることを特徴とする請求項２に記載の扇風機。
【請求項４】
前記第１の磁気支持部分と回動中心と前記第２の磁気支持部分とがなす角度は、第１の角度と、第２の角度とを有し、前記第２の角度は、前記第１の角度より大きく、
前記第２のギアは、前記第１の磁気支持部分と前記第２の磁気支持部分との間における前記第２の角度側であり、前記第２の角度の中心線上に配置されたことを特徴とする請求項２または３に記載の扇風機。
【発明の詳細な説明】
【技術分野】
【０００１】
本発明は、一般的な家庭において、ファンの回転により昇圧された空気を送出し、その風に人体が当たり涼感を得たり、室内の空気を攪拌して温度ムラをなくしたりするのに使用される扇風機に関するものである。
【背景技術】
【０００２】
従来、この種の扇風機は、送出される風の方向を任意に変更可能としたものが知られている（例えば、特許文献１参照）。
【０００３】
扇風機は基台部と、基台部から上方に延びた支柱部と、支柱部の上部に設けた回動部と、回動部に設けた送風部とからなり、送風部と回動部とを制御する制御部を備えることにより送風部は任意の方向に風を送出し、回動部が停止時に送風部が正面で止まることができる。
【先行技術文献】
【特許文献】
【０００４】
【特許文献１】特開平４−１１３４０号公報
【発明の概要】
【発明が解決しようとする課題】
【０００５】
このような従来の扇風機においては、支柱部と送風部との間には、送風部を回動自在に支持する支持部と、送風部を回動する回動部とを備えている。そのため、支持部と回動部に送風部を回動させるための構造が必要なことにより、回動部が露出し、見栄えが悪くなるという課題を有していた。
【０００６】
そこで本発明は、上記従来の課題を解決するものであり、回動部を見え難くすることで、デザイン性を向上し、回動部が停止時に送風部を正面で止めることができる扇風機を提供することを目的とする。
【課題を解決するための手段】
【０００７】
そして、この目的を達成するために、本発明は、台座部と、前記台座部から上方へ延びた支柱部と、前記支柱部に固定された送風部と、前記台座部内には、前記支柱部を回動自在に支持する支持部と、前記支柱部を所定の回動角度を回動する回動部と、前記回動部の回動中心を手動で変更できる回動中心変更部と、前記支柱部の回動角度を検知する検知部と、前記検知部の検知結果から回動部を制御する制御部とを備え、前記検知部は、前記支柱部と共に回動する第１の磁気部分と第２の磁気部分と、前記第１の磁気部分と前記第２の磁気部分の磁力を検知する第１の検知部分と第２の検知部分とを有し、前記送風部が正面を向いたときに前記第１の検知部分は前記第１の磁気部分と対向し、前記第２の検知部分は前記第２の磁気部分と対向し、前記第１の検知部分は、前記第１の磁気部分または前記第２の磁気部分と対向すると磁力を検知し、前記第２の検知部分は、前記第１の磁気部分または前記第２の磁気部分と対向すると磁力を検知し、前記制御部は、手動で前記回動部の回動中心を変更された場合、前記回動部によって前記支柱部が一方側へ回動し前記第１の検知部分が前記第２の磁気部分の磁力を検知すると、前記支柱部を他方側に回動させ、前記回動部によって前記支柱部が他方側へ回動し前記第２の検知部分が前記第１の磁気部分の磁力を検知すると、前記支柱部を一方側に回動させ、前記第１の検知部分が前記第１の磁気部分の磁力を検知し、前記第２の検知部分が前記第２の磁気部分の磁力を検知したときに前記回動部を停止させるものであり、これにより所期の目的を達成するものである。
【発明の効果】
【０００８】
本発明によれば、台座部と、前記台座部から上方へ延びた支柱部と、前記支柱部に固定された送風部と、前記台座部内には、前記支柱部を回動自在に支持する支持部と、前記支柱部を所定の回動角度を回動する回動部と、前記回動部の回動中心を手動で変更できる回動中心変更部と、前記支柱部の回動角度を検知する検知部と、前記検知部の検知結果から回動部を制御する制御部とを備え、前記検知部は、前記支柱部と共に回動する第１の磁気部分と第２の磁気部分と、前記第１の磁気部分と前記第２の磁気部分の磁力を検知する第１の検知部分と第２の検知部分とを有し、前記送風部が正面を向いたときに前記第１の検知部分は前記第１の磁気部分と対向し、前記第２の検知部分は前記第２の磁気部分と対向し、前記第１の検知部分は、前記第１の磁気部分または前記第２の磁気部分と対向すると磁力を検知し、前記第２の検知部分は、前記第１の磁気部分または前記第２の磁気部分と対向すると磁力を検知し、前記制御部は、手動で前記回動部の回動中心を変更された場合、前記回動部によって前記支柱部が一方側へ回動し前記第１の検知部分が前記第２の磁気部分の磁力を検知すると、前記支柱部を他方側に回動させ、前記回動部によって前記支柱部が他方側へ回動し前記第２の検知部分が前記第１の磁気部分の磁力を検知すると、前記支柱部を一方側に回動させ、前記第１の検知部分が前記第１の磁気部分の磁力を検知し、前記第２の検知部分が前記第２の磁気部分の磁力を検知したときに前記回動部を停止させることにより、支持部と回動部とを見え難くすることで、デザイン性が向上し、使用者によって、回動中心を変更された場合にも、回動部が停止時に送風部を正面で止めることができるという効果を得る。
【図面の簡単な説明】
【０００９】
【図１】本発明の実施の形態１の扇風機の側面図
【図２】同扇風機の斜視図
【図３】同扇風機の台座部の断面図
【図４】同扇風機のベアリングの斜視図
【図５】同扇風機のベアリングホルダーの斜視図
【図６】同扇風機の台座部の内部を示す斜視図
【図７】同扇風機の台座部の内部を示す斜視図
【図８】同扇風機の台座部の内部を示す斜視図
【図９】同扇風機の台座部の内部を示す斜視図
【発明を実施するための形態】
【００１０】
以下、本発明の実施の形態について図面を参照しながら説明する。
【００１１】
（実施の形態１）
図１は、本発明の実施の形態１の扇風機の側面図であり、扇風機を右側から見た図である。図２は、本発明の実施の形態１の扇風機の斜視図である。図３は、本発明の実施の形態１の扇風機の台座部の断面図であり、扇風機を右側から見た図である。
【００１２】
図１、図２および図３に示すように、扇風機は、台座部１と、支柱部２と、送風部３と、支持部４とを有している。
【００１３】
台座部１は、台座部１の下面である下台座部６と、台座部１の上面である上台座部７とを備えている。下台座部６は、上方が開口した略椀形状であり、上台座部７は、下方が開口した略椀形状である。上台座部７は、中央部に支柱部２の下部が入る円形の孔８を有している。台座部１には、操作部１９を有している。操作部１９は、送風部３と後述する回動部５との動作をＯＮ、ＯＦＦできる。
【００１４】
支柱部２は、略円筒形状であり、上台座部７の中央部から上方へ延びている。支柱部２の下端部は、上台座部７の孔８に挿入され、支柱部２の上端部には、送風部３が固定されている。
【００１５】
送風部３は、支柱部２の上端部に固定されたファン用モータ部分９と、ファン用モータ部分９の回転軸（図示せず）に固定された羽根部分１０と、羽根部分１０を覆うガード部分１１とを備えている。ファン用モータ部分９が駆動すると、ファン用モータ部分９の回転軸に固定された羽根部分１０が回転し、空気が送出される。送風部３を上端部に固定された支柱部２は、支持部４によって台座部１に回動自在に支持されている。
【００１６】
図４は、本発明の実施の形態１の扇風機のベアリングの斜視図である。
【００１７】
図３、４に示すように、支持部４は、環状のベアリング１２である。ベアリング１２は、環形状の内側環部１３と、環形状の外側環部１４と、これらの間に設けられた多数の球形状の球部（図示せず）とを備えている。外側環部１４の内径は、内側環部１３の外形より大きいものである。ベアリング１２の中央部の孔１５内、つまり内側環部内に支柱部２の下部が挿入され、ベアリング１２の外周である外側環部１４は、台座部１内のベアリングホルダー１６に装着されている。
【００１８】
図５は、本発明の実施の形態１の扇風機のベアリングホルダーの斜視図であり、斜め上方から見た図である。図６は、本発明の実施の形態１の扇風機の台座部の内部を示す斜視図であり、台座部を下側から見た図である。
【００１９】
図３と図５と図６に示すように、ベアリングホルダー１６は、下方が開口した略椀形状であり、中央部に円形の孔１７を有し、この孔１７の開口縁から下方へ延びる円筒形状の円筒部１８を備えている。円筒部１８内には、ベアリング１２の外側環部１４が嵌り、固定されている。ベアリング１２の回転軸と、支柱部２の中心軸と、円筒部１８の中心軸とは、同軸上に配置されている。支柱部２は、ベアリング１２によって回動自在に支持され、回動部５によって回動する。支持部４と、回動部５とは、台座部１内に配置され、見え難くすることで、デザイン性が向上する。
【００２０】
回動部５は、第１のギア２０と、モータ２１と、第２のギア２２とを有している。第１のギア２０は、支柱部２の下部外周に固定されている。支柱部２の下部には、支持部４を設け、支持部４の下方には、第１のギア２０を配置している。第１のギアの回転軸は、支柱部２の回転軸と同一上に設けられている。モータ２１は、台座部１内に固定され、モータ２１の回転軸２３に第２のギア２２が固定されている。第１のギア２０と第２のギア２２とは、噛み合う構成である。回動部５のモータ２１が駆動すると、モータ２１の回転軸２３に固定された第１のギア２０を介して、第２のギア２２が回動する。第２のギア２２が回動すると、支柱部２と送風部３とが回動する。
【００２１】
図７は、本発明の実施の形態１の扇風機の台座部の内部を示す斜視図で、台座部を下側から見た図であり、送風部３が正面を向き、第１の検知部分が第１の磁気部分の磁力を検知し、第２の検知部分が第２の磁気部分の磁力を検知した状態である。
【００２２】
図６と図７に示すように、扇風機は、検知部２４と、制御部２５とを有している。検知部２４は、支柱部２の回動角度を検知する。制御部２５は、検知部２４の検知結果と、操作部１９の操作内容から送風部３と回動部５とを制御する。
【００２３】
モータ２１内には、回動部５の回動中心を手動で変更できる回動中心変更部（図示せず）を有している。モータ２１によって、送風部３と支柱部２とを所定の角度だけ回動できる。この所定の角度の中心が回動中心である。つまり、モータ２１によって、回動中心から一方側へ所定の角度の半分まで回動でき、同様に、回動中心から他方側へ所定の角度の半分まで回動できる。使用者によって手動で、所定以上の力で送風部３と支柱部２とを回動させると、モータ内の回動中心変更部が空回りし、モータ２１が回動することなく、送風部３と支柱部２とが回動し、回動中心を変更できる。回動中心変更部の一例は、クッラチ機構である。
【００２４】
検知部２４は、第１の磁気部分２６と、第２の磁気部分２７と、第１の検知部分２８と、第２の検知部分２９とを有している。第１の磁気部分２６と第２の磁気部分２７とは、支柱部２と共に回動し、第１の検知部分２８と第２の検知部分２９とは、第１の磁気部分２６と第２の磁気部分２７の磁力を検知する。
【００２５】
第１の磁気部分２６と第２の磁気部分２７とは、支柱部２の回転軸に対して同心円上に配置されている。具体的には、第１の磁気部分２６と第２の磁気部分２７は、支柱部２に固定された第１のギア２０に固定されている。
【００２６】
送風部３が正面を向いたときに、第１の検知部分２８は第１の磁気部２６分と対向し、第２の検知部分２９は第２の磁気部分２７と対向する。第１の検知部分２８と第２の検知部分２９とは、台座部１に固定されている。第１の検知部分２８は、第１の磁気部分２６または第２の磁気部分２７と対向すると磁力を検知する。第２の検知部分２９は、第１の磁気部分２６または第２の磁気部分２７と対向すると磁力を検知する。（図７参照）なお、第１の磁気部分２６と第２の磁気部分２７の一例は、磁石であり、第１の検知部分２８と第２の検知部分２９の一例は、ホールＩＣである。
【００２７】
図８は、本発明の実施の形態１の扇風機の台座部の内部を示す斜視図で、台座部を下側から見た図であり、支柱部が一方側へ回動し、第１の検知部分が第２の磁気部分の磁力を検知した状態である。図９は、本発明の実施の形態１の扇風機の台座部の内部を示す斜視図で、台座部を下側から見た図であり、支柱部が他方側へ回動し、第２の検知部分２９が第１の磁気部分２６の磁力を検知した状態である。
【００２８】
送風部３が正面を向いていない状態で運転しているときに、操作部１９によって、送風部３を停止させると、制御部２５は、回動部５によって送風部３が支柱部２を一方側、もしくは、他方側へ回動させ、第１の検知部分２８が第１の磁気部分２６の磁力を検知し、ほぼ同時に第２の検知部分２９が第２の磁気部分２７の磁力を検知したときに回動部５を停止させる。また、回動部５によって支柱部２が一方側へ回動し第１の検知部分２８が第２の磁気部分２７の磁力を検知すると（図８参照）、支柱部２を他方側に回動させ、一方、制御部２５は、回動部５によって支柱部２が他方側へ回動し第２の検知部分２９が第１の磁気部分２６の磁力を検知すると（図９参照）、支柱部２を一方側に回動させ、第１の検知部分２８が第１の磁気部分２６の磁力を検知し、ほぼ同時に第２の検知部分２９が第２の磁気部分２７の磁力を検知したときに回動部５を停止させる。これにより、支持部４と回動部５を見え難くし、回動部５が停止時に送風部３を正面で止めることができるため、送風部３の停止時のデザイン性を向上させることができる。
【００２９】
また、第１のギア２０には、第１の磁気部分２６を支持する第１の磁気支持部分３０と、第２の磁気部分２７を支持する第２の磁気支持部分３１とを備えている。第１の磁気支持部分３０と第２の磁気支持部分３１は、第１のギア２０の外周より外方へ突出している。
【００３０】
これにより、第１の磁気部分２６と第２の磁気部分２７とが、第１のギア２０と支持部４の外周より外方へ突出しているので、第１の磁気部分２６と第２の磁気部分２７とが、第１のギア２０、支持部４と上下方向において重なることが無いので、上下方向の寸法を小さくすることができる。
【００３１】
また、第１の磁気支持部分３０と第２の磁気支持部分３１とは、第１の角度Ａ、第２の角度Ｂとを成し、第２の角度Ｂは、第１の角度Ａより大きい。第２のギア２２は、第１の磁気支持部分３０と第２の磁気支持部分３１との間における第２の角度Ｂ側で配置されている。第２のギア２２は、第２の角度Ｂの中心線上に配置されている。なお、第１の角度Ａは９０度から６０度が望ましい。なお、第１の角度Ａと第２の角度Ｂとの和は３６０度である。
【００３２】
これにより、第１の磁気支持部分３０と第２の磁気支持部分３１とが、第２のギア２２に接触することを防止できる。
【００３３】
また、一例として、第１の角度Ａは９０度であり、第２の角度Ｂは、２７０度である。これにより、送風部３が正面を向いた状態から、送風部３は左右方向へ９０度までの範囲で回動することができる。
【産業上の利用可能性】
【００３４】
本発明にかかる扇風機は、一般家庭などにおいて、送出される風を浴びて涼感を得たり、室内の空気を攪拌して温度ムラをなくしたりするのに使用される扇風機等として有用である。
【符号の説明】
【００３５】
１    台座部
２    支柱部
３    送風部
４    支持部
５    回動部
６    下台座部
７    上台座部
８    孔
９    ファン用モータ部分
１０    羽根部分
１１    ガード部分
１２    ベアリング
１３    内側環部
１４    外側環部
１５    孔
１６    ベアリングホルダー
１７    孔
１８    円筒部
１９    操作部
２０    第１のギア
２１    モータ
２２    第２のギア
２３    回転軸
２４    検知部
２５    制御部
２６    第１の磁気部分
２７    第２の磁気部分
２８    第１の検知部分
２９    第２の検知部分
３０    第１の磁気支持部分
３１    第２の磁気支持部分
Ａ    第１の角度
Ｂ    第２の角度
【図１】
2018172977.tif 000003
【図２】
2018172977.tif 000004
【図３】
2018172977.tif 000005
【図４】
2018172977.tif 000006
【図５】
2018172977.tif 000007
【図６】
2018172977.tif 000008
【図７】
2018172977.tif 000009
【図８】
2018172977.tif 000010
【図９】
2018172977.tif 000011